(57)【要約】【課題】小冊子作成用の記録媒体を有効活用することである。【解決手段】画像形成装置としての複写機１Ａにおいて、画像データを記録媒体に記録するプリント部２０と、小冊子のプリントの種類の入力を受け付ける操作部９２と、操作部９２を介して入力された小冊子のプリントの種類に基づいて、複数の元画像を含む元画像データを用いて、小冊子完成後の１頁ごとに複数の元画像が含まれる小冊子用の画像データを作成して、当該画像データをプリント部２０により記録媒体に記録させる制御部１１０と、を備える。【選択図】図１
2006025231.tif 000002
【特許請求の範囲】
【請求項１】
画像データを記録媒体に記録するプリント部と、
小冊子のプリントの種類の入力を受け付ける操作部と、
前記操作部を介して入力された小冊子のプリントの種類に基づいて、複数の元画像を含む元画像データを用いて、小冊子完成後の１頁ごとに複数の元画像が含まれる小冊子用の画像データを作成し、当該画像データを前記プリント部により記録媒体に記録させる制御部と、を備えることを特徴とする画像形成装置。
【請求項２】
前記制御部は、複数の横の元画像を含む元画像データを用いて、小冊子完成後の１頁ごとに２枚の元画像が含まれる右綴じ又は左綴じの小冊子用の画像データを作成し、当該画像データを前記プリント部により記録媒体に記録させることを特徴とする請求項１に記載の画像形成装置。
【請求項３】
前記制御部は、複数の縦の元画像を含む元画像データを用いて、小冊子完成後の１頁ごとに２枚の元画像が含まれる上綴じで頁が左開始又は右開始の小冊子用の画像データを作成し、当該画像データを前記プリント部により記録媒体に記録させることを特徴とする請求項１又は２に記載の画像形成装置。
【請求項４】
前記制御部は、複数の横の元画像を含む元画像データを用いて、小冊子完成後の１頁ごとに４枚の元画像が含まれる上綴じで頁が左開始又は右開始の小冊子用の画像データを作成し、当該画像データを前記プリント部により記録媒体に記録させることを特徴とする請求項１から３のいずれか一項に記載の画像形成装置。
【請求項５】
前記制御部は、複数の縦の元画像を含む元画像データに基づいて、小冊子完成後の１頁ごとに４枚の元画像が含まれる左綴じ又は右綴じの小冊子用の画像データを作成し、当該画像データを前記プリント部により記録媒体に記録させることを特徴とする請求項１から４のいずれか一項に記載の画像形成装置。
【請求項６】
画像データを記録媒体に記録するプリント部と、
記録媒体を断裁する断裁部と、
少なくとも１つの元画像を含む元画像データを用いて、１頁ごとに複数の同一元画像が含まれる小冊子用の画像データを作成し、当該画像データを前記プリント部により記録媒体に記録させ、当該画像記録された記録媒体を前記断裁部に断裁させる制御部と、を備えることを特徴とする画像形成装置。
【請求項７】
前記制御部は、複数の縦の元画像を含む元画像データを用いて、１頁ごとに２枚の同一元画像が含まれる左綴じ又は右綴じの小冊子用の画像データを作成し、当該画像データを前記プリント部により記録媒体に記録させ、当該画像記録された記録媒体を上下の中心線で前記断裁部に断裁させることを特徴とする請求項６に記載の画像形成装置。
【請求項８】
記録媒体を折る折り部を備え、
前記制御部は、前記画像記録された記録媒体を前記折り部に折らせることを特徴とする請求項１から７のいずれか一項に記載の画像形成装置。
【請求項９】
複数の記録媒体を綴じ針で綴じるステイプル部を備え、
前記制御部は、前記画像記録された記録媒体を前記ステイプル部に綴じさせることを特徴とする請求項１から８のいずれか一項に記載の画像形成装置。
【請求項１０】
小冊子のプリントの種類の入力を受け付ける工程と、
前記入力された小冊子のプリントの種類に基づいて、複数の元画像を含む元画像データを用いて、小冊子完成後の１頁ごとに複数の元画像が含まれる小冊子用の画像データを作成し、当該画像データを記録媒体に記録する工程と、を含むことを特徴とする画像形成方法。
【請求項１１】
少なくとも１つの元画像を含む元画像データを用いて、１頁ごとに複数の同一元画像が含まれる小冊子用の画像データを作成し、当該画像データを記録媒体に記録し、当該画像記録された記録媒体を断裁する工程を含むことを特徴とする画像形成方法。
【発明の詳細な説明】
【技術分野】
【０００１】
本発明は、画像形成装置及び画像形成方法に関する。
【背景技術】
【０００２】
従来、記録用紙に画像を形成して記録する複写機等の画像形成装置において、記録用紙１枚の片面にＮ（Ｎは２以上の整数）頁分の画像（元画像とする）を集約して記録することができる「Ｎｉｎ１」と呼ばれる機能を有するものが実施されている。
【０００３】
また、上記Ｎｉｎ１の機能と、両面印刷機能とを用いて、小冊子を作成するための配置に複数画像を記録用紙に両面印刷し、その印刷物を手動により折り畳み且つ断裁することにより小冊子用の紙束が得られる画像形成装置が考えられている（例えば、特許文献１参照）。
【特許文献１】特開平７−７４９２０号公報
【発明の開示】
【発明が解決しようとする課題】
【０００４】
しかし、特許文献１に記載の画像形成装置の構成では、小冊子完成後の１頁に複数の元画像を記録することができなかった。また、小冊子には、綴じ位置等により複数のプリントの種類が存在するが、その小冊子のプリントの種類を選択してプリント実行することができなかった。また、記録媒体に１頁に小冊子の複数部数用のプリントを行い、各部で自動的に断裁することができなかった。
【０００５】
本発明の課題は、小冊子作成用の記録媒体を有効活用することである。具体的には、小冊子のプリントの種類を選択して、小冊子完成後の１頁に複数の元画像を記録することである。また、記録媒体に複数部数の小冊子用の元画像の記録及び断裁を自動的に行うことである。
【課題を解決するための手段】
【０００６】
上記課題を解決するため、請求項１に記載の発明は、
画像データを記録媒体に記録するプリント部と、
小冊子のプリントの種類の入力を受け付ける操作部と、
前記操作部を介して入力された小冊子のプリントの種類に基づいて、複数の元画像を含む元画像データを用いて、小冊子完成後の１頁ごとに複数の元画像が含まれる小冊子用の画像データを作成し、当該画像データを前記プリント部により記録媒体に記録させる制御部と、を備えることを特徴とする画像形成装置である。
【０００７】
請求項２に記載の発明は、請求項１に記載の画像形成装置において、
前記制御部は、複数の横の元画像を含む元画像データを用いて、小冊子完成後の１頁ごとに２枚の元画像が含まれる右綴じ又は左綴じの小冊子用の画像データを作成し、当該画像データを前記プリント部により記録媒体に記録させることを特徴とする。
【０００８】
請求項３に記載の発明は、請求項１又は２に記載の画像形成装置において、
前記制御部は、複数の縦の元画像を含む元画像データを用いて、小冊子完成後の１頁ごとに２枚の元画像が含まれる上綴じで頁が左開始又は右開始の小冊子用の画像データを作成し、当該画像データを前記プリント部により記録媒体に記録させることを特徴とする。
【０００９】
請求項４に記載の発明は、請求項１から３のいずれか一項に記載の画像形成装置において、
前記制御部は、複数の横の元画像を含む元画像データを用いて、小冊子完成後の１頁ごとに４枚の元画像が含まれる上綴じで頁が左開始又は右開始の小冊子用の画像データを作成し、当該画像データを前記プリント部により記録媒体に記録させることを特徴とする。
【００１０】
請求項５に記載の発明は、請求項１から４のいずれか一項に記載の画像形成装置において、
前記制御部は、複数の縦の元画像を含む元画像データに基づいて、小冊子完成後の１頁ごとに４枚の元画像が含まれる左綴じ又は右綴じの小冊子用の画像データを作成し、当該画像データを前記プリント部により記録媒体に記録させることを特徴とする。
【００１１】
請求項６に記載の発明は、
画像データを記録媒体に記録するプリント部と、
記録媒体を断裁する断裁部と、
少なくとも１つの元画像を含む元画像データを用いて、１頁ごとに複数の同一元画像が含まれる小冊子用の画像データを作成し、当該画像データを前記プリント部により記録媒体に記録させ、当該画像記録された記録媒体を前記断裁部に断裁させる制御部と、を備えることを特徴とする画像形成装置である。
【００１２】
請求項７に記載の発明は、請求項６に記載の画像形成装置において、
前記制御部は、複数の縦の元画像を含む元画像データを用いて、１頁ごとに２枚の同一元画像が含まれる左綴じ又は右綴じの小冊子用の画像データを作成し、当該画像データを前記プリント部により記録媒体に記録させ、当該画像記録された記録媒体を上下の中心線で前記断裁部に断裁させることを特徴とする。
【００１３】
請求項８に記載の発明は、請求項１から７のいずれか一項に記載の画像形成装置において、
記録媒体を折る折り部を備え、
前記制御部は、前記画像記録された記録媒体を前記折り部に折らせることを特徴とする。
【００１４】
請求項９に記載の発明は、請求項１から８のいずれか一項に記載の画像形成装置において、
複数の記録媒体を綴じ針で綴じるステイプル部を備え、
前記制御部は、前記画像記録された記録媒体を前記ステイプル部に綴じさせることを特徴とする。
【００１５】
請求項１０に記載の発明は、
小冊子のプリントの種類の入力を受け付ける工程と、
前記入力された小冊子のプリントの種類に基づいて、複数の元画像を含む元画像データを用いて、小冊子完成後の１頁ごとに複数の元画像が含まれる小冊子用の画像データを作成し、当該画像データを記録媒体に記録する工程と、を含むことを特徴とする画像形成方法である。
【００１６】
請求項１１に記載の発明は、
少なくとも１つの元画像を含む元画像データを用いて、１頁ごとに複数の同一元画像が含まれる小冊子用の画像データを作成し、当該画像データを記録媒体に記録し、当該画像記録された記録媒体を断裁する工程を含むことを特徴とする画像形成方法である。
【発明の効果】
【００１７】
請求項１又は１０に記載の発明によれば、入力された小冊子のプリントの種類に基づいて、複数の元画像を含む元画像データを用いて、小冊子完成後の１頁ごとに複数の元画像が含まれる小冊子用の画像データを作成して記録媒体に記録するので、小冊子のプリントの種類を選択できるとともに、画像記録された記録媒体を用いて、各頁に複数の元画像が記録された小冊子を作成でき、小冊子作成用の記録媒体を有効活用できる。
【００１８】
請求項２に記載の発明によれば、画像記録された記録媒体を用いて、各頁に２枚の横の元画像が含まれる右綴じ又は左綴じの小冊子を作成でき、記録媒体を有効活用できる。
【００１９】
請求項３に記載の発明によれば、画像記録された記録媒体を用いて、各頁に２枚の縦の元画像が含まれる上綴じで頁が左開始又は右開始の小冊子を作成でき、記録媒体を有効活用できる。
【００２０】
請求項４に記載の発明によれば、画像記録された記録媒体を用いて、各頁に４枚の横の元画像が含まれる上綴じで頁が左開始又は右開始の小冊子を作成でき、記録媒体をさらに有効活用できる。
【００２１】
請求項５に記載の発明によれば、画像記録された記録媒体を用いて、各頁に４枚の縦の元画像が含まれる右綴じ又は左綴じの小冊子を作成でき、記録媒体をさらに有効活用できる。
【００２２】
請求項６又は１１に記載の発明によれば、少なくとも１つの元画像を含む元画像データを用いて、１頁ごとに複数部数用の複数の同一元画像が含まれる小冊子用の画像データを作成して記録媒体に記録し、当該画像記録された記録媒体を自動的に断裁するので、画像記録及び断裁された記録媒体を用いて、複数部数の小冊子を作成でき、小冊子作成用の記録媒体を有効活用できるとともに、ユーザの小冊子作成作業負担を軽減できる。
【００２３】
請求項７に記載の発明によれば、１頁ごとに２枚の縦の同一元画像が含まれる左綴じ又は右綴じの小冊子用の画像データを記録媒体に記録し、当該画像記録された記録媒体を上下の中心線で断裁するので、画像記録及び断裁された記録媒体を用いて、各頁に１枚の元画像が含まれる２部の左綴じ又は右綴じの小冊子を作成できる。
【００２４】
請求項８に記載の発明によれば、画像記録された記録媒体を自動的に折るので、ユーザの小冊子作成作業負担をさらに軽減できる。
【００２５】
請求項９に記載の発明によれば、画像記録された記録媒体を自動的に綴じ針で綴じるので、ユーザの小冊子作成作業負担をさらに軽減できる。
【発明を実施するための最良の形態】
【００２６】
以下、添付図を参照して本発明に係る実施の形態を詳細に説明する。ただし、発明の範囲は、図示例に限定されない。
【００２７】
先ず、図１及び図２を参照して、本実施の形態の装置構成を説明する。図１に、本実施の形態の画像形成システム１αの構成を示す。図２に、複写機１Ａの構成を示す。
【００２８】
図１に示すように、本実施の形態の画像形成システム１αは、画像形成装置としての複写機１Ａと、ＰＣ（Personal Computer）３とから構成され、各装置が通信ネットワークＮで接続される。
【００２９】
本実施の形態では、画像形成装置として、原稿から画像を読み取り画像データを生成するスキャン機能と、画像データを記録媒体としての記録用紙上に画像形成して記録するプリント機能と、画像形成された記録用紙に対して、ステイプル処理、パンチ処理、折り処理、断裁処理等の後処理機能等を備えたデジタル複合機としての、複写機１Ａを説明する。しかし、これに限定されるものではなく、画像形成装置として、プリンタ、ＭＦＰ（Multi Function Printer）などの、少なくとも記録媒体上に画像データを記録する機器を用いる構成としてもよい。
【００３０】
ここで、画像とは、図形や写真等のイメージに限らず、文字や記号等のテキスト等も含む。また、元画像とは、通常のプリントにおいて１頁に記録される画像とし、Ｎｉｎ１の機能により１頁に複数の画像を記録する際に用いる元の画像となる。また、（元）画像データは、（元）画像のデジタルデータである。また、画像、記録用紙は、長方形とし、その長手方向を上下とする場合に縦（の画像、記録用紙）とし、短手方向を上下とする場合に横（の画像、記録用紙）として説明するが、これに限定されるものではなく、画像、記録用紙が長方形でないものとしてもよい。また、記録媒体としては、記録用紙に限定されるものではなく、ＯＨＰシートなど、他の記録媒体としてもよい。また、ＰＣ３は、外部機器を代表して示したものであり、その種類、台数等は、この例に限定されない。
【００３１】
通信ネットワークＮは、ＬＡＮ（Local Area Network）とするが、ＷＡＮ（Wide Area Network）としてもよく、電話回線網、ＩＳＤＮ（Integrated Services Digital Network）回線網、広帯域通信回線網、専用線、移動体通信網、通信衛星回線、ＣＡＴＶ（Community Antenna Television）回線、光通信回線、無線通信回線と、それらを接続するインターネットサービスプロバイダなどを含む構成でもよい。
【００３２】
複写機１Ａは、本体部１と、本体部１に接続された後処理部（フィニッシャ）２とから構成される。また、本体部１は、本体制御部１ａと、プリンタコントローラ１ｂとから構成される。本体部１は、プリンタコントローラ１ｂのＬＡＮＩＦ（InterFace）１４ｂを介して通信ネットワークＮ上のＰＣ３と相互に情報の送受信が可能に接続されている。
【００３３】
本体制御部１ａは、画像読取部１０、プリント部２０、操作表示部９０、画像制御部１００を備えて構成される。
【００３４】
画像読取部１０は、ＡＤＦ（Auto Document Feeder）１１と、スキャナ１２と、画像読取制御部２００と、を備えて構成される。また、図２に示すように、ＡＤＦ１１は、原稿トレイＴ１を備える。また、スキャナ１２は、プラテンガラス１１ａと、ＣＣＤ（Charge Coupled Device）イメージセンサ１２ａと、光源１２ｃとを備える。
【００３５】
画像読取部１０において、画像読取制御部２００の制御により、画像が記録された原稿がプラテンガラス１１ａ上に載置され、原稿上を走査するよう光源１２ｃが移動され、光源１２ｃから照射された光が、その原稿を反射し、その反射光からＣＣＤイメージセンサ１２ａの光電変換により原稿の画像に対応するアナログ画像信号が読み取られ、そのアナログ画像信号が読込処理部１４０に出力される。また、画像読取部１０では、ＡＤＦ１１において、原稿トレイＴ１にセットされた原稿Ｏを自動的にプラテンガラス１１ａ上に搬送することが可能である。
【００３６】
図１に示すように、プリンタコントローラ１ｂは、コントローラ制御部１１ｂと、ＤＲＡＭ（Dynamic Random Access Memory）制御ＩＣ１２ｂと、画像メモリ１３ｂと、ＬＡＮＩＦ１４ｂと、を備えて構成される。コントローラ制御部１１ｂは、各部の動作を統括的に制御し、ＬＡＮＩＦ１４ｂを介して、ＰＣ３から入力される画像データ等のデータを本体制御部１ａへ配信する機能を実現する。
【００３７】
ＤＲＡＭ制御ＩＣ１２ｂは、ＬＡＮＩＦ１４ｂにより受信されたデータの画像メモリ１３ｂへの格納や、画像メモリ１３ｂからの出力データの読み出しを制御する。また、ＤＲＡＭ制御ＩＣ１２ｂは、画像制御部１００のＤＲＡＭ制御ＩＣ１６０とＰＣＩ（Peripheral Components Interconnect）バスで接続されており、コントローラ制御部１１ｂからの指示に従って、データを画像メモリ１３ｂから読み出してＤＲＡＭ制御ＩＣ１６０に出力する。
【００３８】
画像メモリ１３ｂは、ＤＲＡＭから構成され、入力されたデータを一時的に格納する。ＬＡＮＩＦ１４ｂは、ＮＩＣ（Network Interface Card）やモデム等の、通信ネットワークＮ（ＬＡＮ）に接続するための通信インターフェイスであり、ＰＣ３から通信ネットワークＮを介してデータを受信する。受信されたデータは、ＤＲＡＭ制御ＩＣ１２ｂに出力される。
【００３９】
図１に示すように、操作表示部９０は、ＬＣＤ（Liquid Crystal Display）９１と、操作表示制御部９００と、その他図示しない操作キー群等を有する操作部９２とから構成される。操作表示制御部９００は、制御部１１０から入力される表示信号に従って、プリント条件を入力するための操作画面や、各種処理結果等をＬＣＤ９１に表示させる。また、操作表示制御部９００は、操作キー群又はタッチパネルから入力される操作信号を制御部１１０に出力する。また、ＬＣＤ９１が操作部９２と一体的にタッチパネルを構成する構成としてもよい。
【００４０】
画像制御部１００は、制御部１１０と、不揮発メモリ１２０と、ＲＡＭ１３０と、読込処理部１４０と、圧縮ＩＣ１５０と、ＤＲＡＭ制御ＩＣ１６０と、画像メモリ１７０と、伸張ＩＣ１８０と、書込処理部１９０と、を備えて構成される。
【００４１】
制御部１１０は、ＣＰＵ（Central Processing Unit）等から構成され、不揮発メモリ１２０に格納されている各種処理プログラムに従って複写機１Ａの各部の動作を集中制御する。制御部１１０は、不揮発メモリ１２０から各種プログラムを適宜読み出してＲＡＭ１３０に展開し、ＲＡＭ１３０に展開された各種プログラムとの協働で各種処理を実行する。
【００４２】
制御部１１０は、例えば、操作表示部９０から入力される操作信号に従って、コピーモード、プリンタモード、スキャナモードを切り替え、不揮発メモリ１２０に記憶されている各モードに対する各種プログラムを読み出して、複写、プリント、画像データの読取等の制御を行う。また、操作表示部９０から入力される操作信号やＰＣ３から入力される印刷データに従って、プリント出力された記録用紙の後処理を設定する。
【００４３】
不揮発メモリ１２０は、各種データ、各種プログラム及び当該各種プログラムで処理されたデータ等を記憶するとともに、少なくともデータ書き換えが可能なフラッシュメモリ等から構成される。ＲＡＭ１３０は、各種データ及び各種プログラムを展開可能なワークエリアを有する揮発性のメモリである。
【００４４】
読込処理部１４０は、画像読取部１０のＣＣＤイメージセンサ１２ａから入力されるアナログ画像信号に、アナログ処理、Ａ／Ｄ変換処理、シェーディング処理等の各種処理を施した後、デジタルの画像データを生成する。生成された画像データは、圧縮ＩＣ１５０に出力される。圧縮ＩＣ１５０は、入力されたデジタルの画像データに圧縮処理を施してＤＲＡＭ制御ＩＣ１６０に出力する。
【００４５】
ＤＲＡＭ制御ＩＣ１６０は、制御部１１０からの指示に従って、圧縮ＩＣ１５０による画像データの圧縮処理及び伸張ＩＣ１８０による圧縮画像データの伸張処理を制御するとともに、画像メモリ１７０への画像データの入出力制御を行う。画像メモリ１７０は、ＤＲＡＭから構成される圧縮メモリ１７１と、ページメモリ１７２と、を備える。圧縮メモリ１７１は、圧縮画像データを格納するためのメモリであり、ページメモリ１７２は、プリント前にプリント対象の非圧縮画像データを一時的に格納するためのメモリである。
【００４６】
伸張ＩＣ１８０は、入力される圧縮画像データに伸張処理を施す。書込処理部１９０は、ＤＲＡＭ制御ＩＣ１６０から入力された非圧縮画像データに基づいて、画像形成のための画像データを生成し、プリント部２０に出力する。
【００４７】
例えば、画像読取部１０により読み取られたアナログ画像信号の、デジタル画像データとしての保存が指示されると、読込処理部１４０から入力されたデジタル画像データの圧縮処理を圧縮ＩＣ１５０により実行させて、圧縮画像データを画像メモリ１７０の圧縮メモリ１７１に格納させる。また、圧縮メモリ１７１に格納された圧縮画像データのプリント出力が指示されると、圧縮メモリ１７１から圧縮画像データを読み出し、伸張ＩＣ１８０により伸張処理を施してページメモリ１７２に格納させる。さらに、ページメモリ１７２に格納された非圧縮画像データのプリント出力が指示されると、ページメモリ１７２から非圧縮画像データを読み出して書込処理部１９０に出力し、プリント部２０にプリント対象の画像データをプリントさせる。
【００４８】
また、同様に、画像メモリ１３ｂに記憶された画像データのプリントが指示されると、ＤＲＡＭ制御ＩＣ１２ｂにより、画像メモリ１３ｂから圧縮画像データが読み出され、ＰＣＩバス、ＤＲＡＭ制御ＩＣ１６０、伸張ＩＣ１８０を介して書込処理部１９０に画像データを出力させ、プリント部２０にプリント対象の画像データをプリントさせる。
【００４９】
プリント部２０は、画像形成部２１と、プリント制御部３００と、を備えて構成される。プリント制御部３００は、制御部１１０からの指示に従って画像形成部２１等のプリント部２０の各部の動作を制御し、書込処理部１９０から入力された画像データに基づいて記録用紙に画像形成を行わせると共に、制御部１１０からの指示に従って後処理部２の各部を動作させる指示信号を後処理制御部４００に出力する。
【００５０】
また、図２に示すように、複写機１Ａは、給紙部２２と、手差しトレイＴ２と、分離器２３ａと、両面プリント用の反転部３０とを備える。給紙部２２は、異なるサイズ、紙種の給紙トレイ２２ａ，２２ｂを備える。給紙トレイは、１つ又は３つ以上設けられる構成としてもよい。
【００５１】
画像形成部２１は、レーザ式の画像形成部とし、記録用紙に画像データを画像形成して記録する。画像形成部２１は、感光体ドラム２１ａと、クリーナ２１ｂと、帯電部２１ｃと、露光部２１ｄと、現像部２１ｅと、転写部２１ｆと、定着器２４と、を備えて構成される。
【００５２】
画像プリントする場合には、先ず、給紙トレイ２２ａ，２２ｂから搬送経路３１を介して感光体ドラム２１ａに記録用紙Ｐが供給され、又は手差しトレイＴ２から搬送経路３２を介して感光体ドラム２１ａに記録用紙Ｐが供給される。そして、画像形成部２１において、感光体ドラム２１ａが回転されて、感光体ドラム２１ａの表面が、帯電部２１ｃにより帯電され、露光部２１ｄによるレーザ光の照射により、プリントする画像データに対応する静電潜像が形成され、現像部２１ｅにより静電潜像にトナーが付着されトナー像が形成され、転写部２１ｆにより記録用紙にトナー像が転写される。また、感光体ドラム２１ａ上に残ったトナーは、クリーナ２１ｂにより除去される。
【００５３】
トナー像が転写された記録用紙Ｐは、搬送経路３３を介して定着器２４に搬送され、定着器２４により記録用紙上のトナー像が加熱及び加圧して画像形成される。画像形成された記録用紙Ｐは、搬送経路３４を介して後処理部２に搬送される。また、両面プリントの場合には、片面プリントされた記録用紙Ｐが、分離器２３ａにより反転経路３４ａに送り出され、反転部３０により表裏が反転させられて感光体ドラム２１ａに再搬送されて、反転後の表面に画像形成される。
【００５４】
また、各搬送経路では、図示しない搬送ローラにより記録用紙が搬送される。なお、画像形成部２１は、レーザ式の画像形成部としたが、これに限定されるものではなく、インクジェット式、熱転写式、ドットインパクト式など、他のプリント方式のものとしてもよい。
【００５５】
図１に示す後処理部２は、本体部１により画像が形成された記録用紙を１部毎に集積し、１部毎に、パンチ処理、ステイプル処理、折り処理、断裁処理等の後処理を行うフィニッシャである。パンチ部４０と、ステイプル部５０と、折り部６０と、断裁部７０と、各種処理部へ記録用紙を搬送する図示しない搬送ローラ等の搬送手段と、が設けられており、各部は後処理制御部４００により統括的に制御されている。後処理制御部４００は、制御部１１０からプリント制御部３００を介して入力される後処理の指示信号に応じて、記録用紙を搬送経路に沿って所定の処理部に搬送し、各部を駆動制御して記録用紙に所定の後処理を行わせ、所定の排出トレイに排出する制御を行う。
【００５６】
図２に示すように、後処理部２は、さらに、昇降により大量の記録用紙を載置できる昇降トレイＴ３と、排紙トレイＴ４とを備える。ステイプル部５０は、近傍の可動ストッパ部材の突き当て面に記録用紙Ｐの搬送方向先端部を揃えて積載及び整合するスタック台５１と、スタック台５１に載置された記録用紙Ｐの束を綴じ針で綴じ合わせるステイプラ５２を備える。折り部６０は、スタック台６１及び可動ストッパ部材６２を備え、記録用紙に対して、中折り処理、３つ折り処理、Ｚ折り処理等の折り処理を行う。断裁部７０は、記録用紙Ｐの搬送方向又は搬送方向と直交する方向に移動可能な切断刃７１を有し、記録用紙Ｐを断裁する。
【００５７】
搬送経路３４を介して出力された記録用紙Ｐは、後処理を行わない場合に、パンチ部４０を素通りし、搬送経路３５ａを介して昇降トレイＴ３に排紙される。また、搬送経路３４を介して出力された記録用紙Ｐは、パンチ処理を行う場合に、パンチ部４０によりパンチ穴があけられて、搬送経路３５ａを介して昇降トレイＴ３に排紙され、又は搬送経路３５ｂを介してステイプル部５０に搬送される。
【００５８】
ステイプル部５０において、搬送されスタック台５１に載置される記録用紙Ｐの束が綴じ合わされ、その記録用紙Ｐの束が、搬送経路３６ａを介して昇降トレイＴ３に排紙され、又は搬送経路３６ｂを介して折り部６０に搬送される。また、ステイプル部５０を素通りして折り部６０に搬送されてもよい。折り部６０において、搬送されスタック台６１に載置される記録用紙Ｐが、可動ストッパ部材６２で位置合せされて、折り処理が行われ、その記録用紙Ｐが搬送経路３７ａを介して断裁部７０に搬送される。また、折り部６０を素通りして断裁部７０に搬送されてもよい。また、折り処理が行われた記録用紙Ｐが搬送経路３７ｂを介してステイプル部５０に搬送されることも可能である。
【００５９】
断裁部７０において、搬送された記録用紙Ｐが切断刃７１により断裁されて排紙トレイＴ４に排紙される。また、搬送経路３４を介して出力された記録用紙Ｐは、搬送経路３８ａ，３８ｂを介して、直接ステイプル部５０及び折り部６０に搬送される構成としてもよい。
【００６０】
次に、図３〜図１９を参照して、複写機１Ａの動作を説明する。図３に、小冊子プリント処理を示す。図４に、選択画面９１１を示す。図５に、小冊子プリント処理中の第１の小冊子プリント処理を示す。図６に、１頁２元画像の左綴じの小冊子用プリント手順例を示す。図７に、１頁２元画像の右綴じの小冊子用プリント手順例を示す。図８に、小冊子プリント処理中の第２の小冊子プリント処理を示す。図９に、１頁２元画像の上綴じ左開始の小冊子用プリント手順例を示す。図１０に、１頁２元画像の上綴じ右開始の小冊子用プリント手順例を示す。図１１に、小冊子プリント処理中の第３の小冊子プリント処理を示す。図１２に、１頁４元画像の上綴じ左開始の小冊子用プリント手順例を示す。図１３に、１頁４元画像の上綴じ右開始の小冊子用プリント手順例を示す。図１４に、小冊子プリント処理中の第４の小冊子プリント処理を示す。図１５に、１頁４元画像の左綴じの小冊子用プリント手順例を示す。図１６に、１頁４元画像の右綴じの小冊子用プリント手順例を示す。図１７に、小冊子プリント処理中の第５の小冊子プリント処理を示す。図１８に、左綴じ断裁の小冊子用プリント手順例を示す。図１９に、右綴じ断裁の小冊子用プリント手順例を示す。
【００６１】
図３に示すように、操作部９２を介してユーザから、小冊子をプリントして作成する小冊子プリント処理実行指示が入力されたことをトリガとして、制御部１１０が、不揮発メモリ１２０から読み出されてＲＡＭ１３０に展開された小冊子プリントプログラムとの協働で、小冊子プリント処理を実行する。
【００６２】
予め、小冊子用の横又は縦の画像を含む元画像データが、ＰＣ３等の外部機器から通信ネットワークＮ、ＬＡＮＩＦ１４ｂ、ＤＲＡＭ制御ＩＣ１２ｂ，１６０を介して受信されて画像メモリ１７０に記憶されているか、又は画像読取部１０によりランドスケープ又はポートレートの原稿の画像が読み取られ、その横又は縦の画像を含む元画像データが画像メモリ１７０に記憶されているものとする。この元画像データの１頁分の画像を元画像１つとする。なお、ＰＣ３等の外部機器から受信される元画像データは、画像メモリ１３ｂに記憶して用いる構成としてもよい。
【００６３】
先ず、小冊子のプリント種類の選択画面がＬＣＤ９１に表示される（ステップＳ１）。例えば、図４に示すプリント種類の選択画面９１１が表示される。選択画面９１１には、左又は右綴じ用の小冊子作成用のメニューＭ１〜Ｍ４と、上綴じ用の小冊子作成用のメニューＭ５〜Ｍ９とが含まれる。メニューＭ１が小冊子完成後の１頁に１つの元画像を含める（１頁１元画像）の小冊子プリントに対応し、メニューＭ２が１頁２元画像の小冊子プリントに対応し、メニューＭ３が１頁４元画像の小冊子プリントに対応し、メニューＭ４が１頁１元画像の断裁処理を含む小冊子プリントに対応する。
【００６４】
また、メニューＭ５が小冊子完成後の１頁１元画像の小冊子プリントに対応し、メニューＭ６が１頁２元画像左開始の小冊子プリントに対応し、メニューＭ７が１頁４元画像左開始の小冊子プリントに対応し、メニューＭ８が１頁２元画像右開始の小冊子プリントに対応し、メニューＭ９が１頁４元画像右開始の小冊子プリントに対応する。また、元画像が縦の場合に、メニューＭ１，Ｍ３，Ｍ４，Ｍ６，Ｍ８が選択でき、元画像が横の場合に、メニューＭ２，Ｍ５，Ｍ７，Ｍ９が選択できる。
【００６５】
そして、ユーザから各種小冊子プリント種類（メニュー）のうちの１つが選択されて、操作部９２を介して入力される（ステップＳ２）。そして、選択入力されたプリント種類に応じた各種小冊子プリント処理が実行され（ステップＳ３）、小冊子プリント処理が終了される。
【００６６】
以下、ステップＳ３の各種小冊子プリント処理としての第１〜第５の小冊子プリント処理を説明する。なお、メニューＭ１，Ｍ５については、従来からある小冊子作成のメニューであるため、その説明を省略する。
【００６７】
先ず、図５〜図７を参照して、第１の小冊子プリント処理を説明する。第１の小冊子プリント処理は、メニューＭ２に対応し、横の元画像の左又は右綴じの１頁２元画像の小冊子プリントを行う。
【００６８】
先ず、プリント対象の元画像データが画像メモリ１７０から読み出され、元画像数が４の倍数であるか否かが判別される（ステップＳ１１）。４の倍数でない場合（ステップＳ１１；ＮＯ）、元画像数が４の倍数となるように、元画像データの最後に空白の画像データが挿入される（ステップＳ１２）。そして、変数Start，Endの初期値が、それぞれ、１と、４の倍数である元画像数とに設定され、また画像集約が４ｉｎ１に設定される（ステップＳ１３）。４の倍数である場合（ステップＳ１１；ＹＥＳ）、ステップＳ１３に移行される。
【００６９】
そして、選択されたプリント種類が左綴じであるか否かが判別される（ステップＳ１４）。左綴じである場合（ステップＳ１４；ＹＥＳ）、元画像データから４ｉｎ１の画像データが作成され、プリント部２０により、その画像データが１枚の記録用紙の裏面にプリントされる（ステップＳ１５）。具体的には、４ｉｎ１の左半分に、End，（End−１）に対応する元画像が下→上の順番に位置し、４ｉｎ１の右半分に、Start，（Start＋１）に対応する元画像が上→下の順番に位置する画像データが作成されてプリントされる。そして、Startが＋２され、Endが−２される（ステップＳ１６）。
【００７０】
そして、元画像データから４ｉｎ１で画像データが作成され、プリント部２０により、反転経路３４ａを介して、その画像データがステップＳ１５において裏面が記録された１枚の記録用紙の表面にプリントされる（ステップＳ１７）。具体的には、４ｉｎ１の左半分に、Start，（Start＋１）に対応する元画像が上→下の順番に位置し、４ｉｎ１の右半分に、End，（End−１）に対応する元画像が下→上の順番に位置する画像データが作成されてプリントされる。そして、Startが＋２され、Endが−２される（ステップＳ１８）。
【００７１】
そして、Start＞Endであるか否かが判別される（ステップＳ１９）。Start＞Endでない場合（ステップＳ１９；ＮＯ）、ステップＳ１５に移行される。Start＞Endである場合（ステップＳ１９；ＹＥＳ）、プリントされた記録用紙が、折り部６０により左右の中心線で折り畳まれ、ステイプル部５０により綴じ針で左綴じ又は右綴じに綴じられ、完成した小冊子が昇降トレイＴ３に排出され（ステップＳ２０）、第１の小冊子プリント処理が終了される。図６に、ステップＳ１５〜Ｓ１９における元画像数が１６の場合の、横の元画像の左綴じの１頁２元画像の小冊子用プリント例を示す。
【００７２】
右綴じである場合（ステップＳ１４；ＮＯ）、ステップＳ１５〜Ｓ１９と同様にして、ステップＳ２１〜Ｓ２５が実行される。但し、ステップＳ２１において、４ｉｎ１の左半分に、Start，（Start＋１）に対応する元画像が上→下の順番に位置し、４ｉｎ１の右半分に、End，（End−１）に対応する元画像が下→上の順番に位置する画像データが作成されてプリントされる。またステップＳ２３において、４ｉｎ１の左半分に、End，（End−１）に対応する元画像が下→上の順番に位置し、４ｉｎ１の右半分に、Start，（Start＋１）に対応する元画像が上→下の順番に位置する画像データが作成されてプリントされる。図７に、ステップＳ２１〜Ｓ２５における元画像数が１６の場合の、横の元画像の右綴じの１頁２元画像の小冊子用プリント例を示す。
【００７３】
次いで、図８〜図１０を参照して、第２の小冊子プリント処理を説明する。第２の小冊子プリント処理は、メニューＭ６に対応し、縦の元画像の上綴じ左開始の１頁２元画像の小冊子プリント、又はメニューＭ８に対応し、縦の元画像の上綴じ右開始の１頁２元画像の小冊子プリントを行う。
【００７４】
先ず、プリント対象の元画像データが画像メモリ１７０から読み出され、元画像数が４の倍数であるか否かが判別される（ステップＳ３１）。４の倍数でない場合（ステップＳ３１；ＮＯ）、元画像数が４の倍数となるように、元画像データの最後に空白の画像データが挿入される（ステップＳ３２）。そして、変数Start，Endの初期値が、それぞれ、１と，８の倍数である元画像数とに設定され、また画像集約が４ｉｎ１に設定される（ステップＳ３３）。４の倍数である場合（ステップＳ３１；ＹＥＳ）、ステップＳ３３に移行される。
【００７５】
そして、選択されたプリントメニューにおいて、頁内の画像開始位置が左開始であるか否かが判別される（ステップＳ３４）。左開始である場合（ステップＳ３４；ＹＥＳ）、元画像データから４ｉｎ１で画像データが作成され、プリント部２０により、その画像データが１枚の記録用紙の裏面にプリントされる（ステップＳ３５）。具体的には、４ｉｎ１の上半分に、End，（End−１）に対応する元画像が右→左の順番に位置し、４ｉｎ１の下半分に、Start，（Start＋１）に対応する元画像が左→右の順番に位置する画像データが作成されてプリントされる。そして、Startが＋２され、Endが−２される（ステップＳ３６）。
【００７６】
そして、元画像データから４ｉｎ１で画像データが作成され、プリント部２０により、その画像データが、反転経路３４ａを介して、ステップＳ３５において裏面が記録された１枚の記録用紙の表面にプリントされる（ステップＳ３７）。具体的には、４ｉｎ１の上半分に、End，（End−１）に対応する上下逆の元画像が左→右の順番に位置し、４ｉｎ１の下半分に、Start，（Start＋１）に対応する上下逆の元画像が右→左の順番に位置する画像データが作成されてプリントされる。そして、Startが＋２され、Endが−２される（ステップＳ３８）。
【００７７】
そして、Start＞Endであるか否かが判別される（ステップＳ３９）。Start＞Endでない場合（ステップＳ３９；ＮＯ）、ステップＳ３５に移行される。Start＞Endである場合（ステップＳ３９；ＹＥＳ）、プリントされた記録用紙が、折り部６０により上下の中心線で折り畳まれて、ステイプル部５０により綴じ針で上綴じに綴じられ、完成した小冊子が昇降トレイＴ３に排出され（ステップＳ４０）、第２の小冊子プリント処理が終了される。図９に、ステップＳ３５〜Ｓ３９における元画像数が１６の場合の、縦の元画像の上綴じ左開始の１頁２元画像の小冊子用プリント例を示す。
【００７８】
右開始である場合（ステップＳ３４；ＮＯ）、ステップＳ３５〜Ｓ３９と同様にして、ステップＳ４１〜Ｓ４５が実行される。但し、ステップＳ４１において、４ｉｎ１の上半分に、End，（End−１）に対応する元画像が左→右の順番に位置し、４ｉｎ１の下半分に、Start，（Start＋１）に対応する元画像が右→左の順番に位置する画像データが作成されてプリントされる。またステップＳ４３において、４ｉｎ１の上半分に、End，（End−１）に対応する上下逆の元画像が右→左の順番に位置し、４ｉｎ１の下半分に、Start，（Start＋１）に対応する上下逆の元画像が左→右の順番に位置する画像データが作成されてプリントされる。図１０に、ステップＳ４１〜Ｓ４５における元画像数が１６の場合の、縦の元画像の上綴じ右開始の１頁２元画像の小冊子用プリント例を示す。
【００７９】
次いで、図１１〜図１３を参照して、第３の小冊子プリント処理を説明する。第３の小冊子プリント処理は、メニューＭ７に対応し、縦の元画像の上綴じ左開始の１頁４画像の小冊子プリント、又はメニューＭ８に対応し、縦の元画像の上綴じ右開始の１頁４画像の小冊子プリントを行う。
【００８０】
先ず、プリント対象の元画像データが画像メモリ１７０から読み出され、元画像数が８の倍数であるか否かが判別される（ステップＳ５１）。８の倍数でない場合（ステップＳ５１；ＮＯ）、元画像数が８の倍数となるように、元画像データの最後に空白の画像データが挿入される（ステップＳ５２）。そして、変数Start，Endの初期値が、それぞれ、１と，８の倍数である元画像数とに設定され、また画像集約が８ｉｎ１に設定される（ステップＳ５３）。８の倍数である場合（ステップＳ５１；ＹＥＳ）、ステップＳ５３に移行される。
【００８１】
そして、選択されたプリントメニューにおいて、頁内の画像開始位置が左開始であるか否かが判別される（ステップＳ５４）。左開始である場合（ステップＳ５４；ＹＥＳ）、元画像データから８ｉｎ１で画像データが作成され、プリント部２０により、その画像データが１枚の記録用紙の裏面にプリントされる（ステップＳ５５）。具体的には、８ｉｎ１の上半分に、End，（End−１），（End−２），（End−３）に対応する元画像が右下→左下→右上→左上の順番に位置し、８ｉｎ１の下半分に、Start，（Start＋１），（Start＋２），（Start＋３）に対応する元画像が左上→右上→左下→右下の順番に位置する画像データが作成されてプリントされる。そして、Startが＋４され、Endが−４される（ステップＳ５６）。
【００８２】
そして、元画像データから８ｉｎ１で画像データが作成され、プリント部２０により、その画像データが、反転経路３４ａを介して、ステップＳ５５において裏面が記録された１枚の記録用紙の表面にプリントされる（ステップＳ５７）。具体的には、８ｉｎ１の上半分に、End，（End−１），（End−２），（End−３）に対応する上下逆の元画像が左上→右上→左下→右下の順番に位置し、８ｉｎ１の下半分に、Start，（Start＋１），（Start＋２），（Start＋３）に対応する上下逆の元画像が右下→左下→右上→左上の順番に位置する画像データが作成されてプリントされる。そして、Startが＋４され、Endが−４される（ステップＳ５８）。
【００８３】
そして、Start＞Endであるか否かが判別される（ステップＳ５９）。Start＞Endでない場合（ステップＳ５９；ＮＯ）、ステップＳ５５に移行される。Start＞Endである場合（ステップＳ５９；ＹＥＳ）、プリントされた記録用紙が、折り部６０により上下の中心線で折り畳まれて、ステイプル部５０により綴じ針で上綴じに綴じられ、完成した小冊子が昇降トレイＴ３に排出され（ステップＳ６０）、第３の小冊子プリント処理が終了される。図１２に、ステップＳ５５〜Ｓ５９における元画像数が３２の場合の、横の元画像の上綴じ左開始の１頁４元画像の小冊子用プリント例を示す。
【００８４】
右開始である場合（ステップＳ５４；ＮＯ）、ステップＳ５５〜Ｓ５９と同様にして、ステップＳ６１〜Ｓ６５が実行される。但し、ステップＳ６１において、８ｉｎ１の上半分に、End，（End−１），（End−２），（End−３）に対応する元画像が左下→右下→左上→右上の順番に位置し、８ｉｎ１の下半分に、Start，（Start＋１），（Start＋２），（Start＋３）に対応する元画像が右上→左上→右下→左下の順番に位置する画像データが作成されてプリントされる。またステップＳ６３において、８ｉｎ１の上半分に、End，（End−１），（End−２），（End−３）に対応する上下逆の元画像が右上→左上→右下→左下の順番に位置し、８ｉｎ１の下半分に、Start，（Start＋１），（Start＋２），（Start＋３）に対応する上下逆の元画像が左下→右下→左上→右上の順番に位置する画像データが作成されてプリントされる。図１３に、ステップＳ６１〜Ｓ６５における元画像数が３２の場合の、横の元画像の上綴じ右開始の１頁４元画像の小冊子用プリント例を示す。
【００８５】
次いで、図１４〜図１６を参照して、第４の小冊子プリント処理を説明する。第４の小冊子プリント処理は、メニューＭ３に対応し、縦の元画像の左又は右綴じの１頁４元画像の小冊子プリントを行う。
【００８６】
先ず、プリント対象の元画像データが画像メモリ１７０から読み出され、元画像数が８の倍数であるか否かが判別される（ステップＳ７１）。８の倍数でない場合（ステップＳ７１；ＮＯ）、元画像数が８の倍数となるように、元画像データの最後に空白の画像データが挿入される（ステップＳ７２）。そして、変数Start，Endの初期値が、それぞれ、１と、８の倍数である元画像数とに設定され、また画像集約が８ｉｎ１に設定される（ステップＳ７３）。４の倍数である場合（ステップＳ７１；ＹＥＳ）、ステップＳ７３に移行される。
【００８７】
そして、選択されたプリントメニューが左綴じであるか否かが判別される（ステップＳ７４）。左綴じである場合（ステップＳ７４；ＹＥＳ）、元画像データから８ｉｎ１で画像データが作成され、プリント部２０により、その画像データが１枚の記録用紙の裏面にプリントされる（ステップＳ７５）。具体的には、８ｉｎ１の左半分に、End，（End−１），（End−２），（End−３）に対応する元画像が右下→右上→左下→左上の順番に位置し、８ｉｎ１の右半分に、Start，（Start＋１），（Start＋２），（Start＋３）に対応する元画像が左上→左下→右上→右下の順番に位置する画像データが作成されてプリントされる。そして、Startが＋４され、Endが−４される（ステップＳ７６）。
【００８８】
そして、元画像データから８ｉｎ１で画像データが作成され、プリント部２０により、その画像データが、反転経路３４ａを介して、ステップＳ７５において裏面が記録された１枚の記録用紙の表面にプリントされる（ステップＳ７７）。具体的には、８ｉｎ１の左半分に、Start，（Start＋１），（Start＋２），（Start＋３）に対応する元画像が左上→左下→右上→右下の順番に位置し、８ｉｎ１の右半分に、End，（End−１），（End−２），（End−３）に対応する元画像が右下→右上→左下→左上の順番に位置する画像データが作成されてプリントされる。そして、Startが＋４され、Endが−４される（ステップＳ７８）。
【００８９】
そして、Start＞Endであるか否かが判別される（ステップＳ７９）。Start＞Endでない場合（ステップＳ７９；ＮＯ）、ステップＳ７５に移行される。Start＞Endである場合（ステップＳ７９；ＹＥＳ）、プリントされた記録用紙が、折り部６０により左右の中心線で折り畳まれて、ステイプル部５０により綴じ針で左又は右綴じに綴じられ、完成した小冊子が昇降トレイＴ３に排出され（ステップＳ８０）、第４の小冊子プリント処理が終了される。図１５に、ステップＳ７５〜Ｓ７９における元画像数が３２の場合の、横の元画像の左綴じの１頁４元画像の小冊子用プリント例を示す。
【００９０】
右綴じである場合（ステップＳ７４；ＮＯ）、ステップＳ７５〜Ｓ７９と同様にして、ステップＳ８１〜Ｓ８５が実行される。但し、ステップＳ８１において、８ｉｎ１の左半分に、Start，（Start＋１），（Start＋２），（Start＋３）に対応する元画像が右上→右下→左上→左下の順番に位置し、８ｉｎ１の右半分に、End，（End−１），（End−２），（End−３）に対応する元画像が左下→左上→右下→右上の順番に位置する画像データが作成されてプリントされる。図１６に、ステップＳ７１〜Ｓ７５における元画像数が３２の場合の、横の元画像の右綴じの１頁４元画像の小冊子用プリント例を示す。
【００９１】
次いで、図１７〜図１９を参照して、第５の小冊子プリント処理を説明する。第５の小冊子プリント処理は、メニューＭ４に対応し、縦の元画像の左又は右綴じの１頁１元画像の断裁による小冊子プリントを行う。
【００９２】
先ず、プリント対象の元画像データが画像メモリ１７０から読み出され、元画像数が４の倍数であるか否かが判別される（ステップＳ９１）。４の倍数でない場合（ステップＳ９１；ＮＯ）、元画像数が４の倍数となるように、元画像データの最後に空白の画像データが挿入される（ステップＳ９２）。そして、変数Start，Endの初期値が、それぞれ、１と、４の倍数である元画像数とに設定され、また画像集約が４ｉｎ１に設定され、また小冊子の部数にあたる頁内同一画像の繰り返しが２リピートに設定される（ステップＳ９３）。４の倍数である場合（ステップＳ９１；ＹＥＳ）、ステップＳ９３に移行される。
【００９３】
そして、選択されたプリントメニューが左綴じであるか否かが判別される（ステップＳ９４）。左綴じである場合（ステップＳ９４；ＹＥＳ）、元画像データから４ｉｎ１で画像データが作成され、プリント部２０により、その画像データが、１枚の記録用紙の裏面にプリントされる（ステップＳ９５）。具体的には、４ｉｎ１の左半分に、Endに対応する同一の元画像が上下に位置し、４ｉｎ１の右半分に、Startに対応する同一の元画像が上下に位置する画像データが作成されてプリントされる。そして、Startが＋１され、Endが−１される（ステップＳ９６）。
【００９４】
そして、元画像データから４ｉｎ１で画像データが作成され、プリント部２０により、その画像データが、反転経路３４ａを介して、ステップＳ９５において裏面が記録された１枚の記録用紙の表面にプリントされる（ステップＳ９７）。具体的には、４ｉｎ１の左半分に、Startに対応する同一の元画像が上下に位置し、４ｉｎ１の右半分に、Endに対応する同一の元画像が上下に位置する画像データが作成されてプリントされる。そして、Startが＋１され、Endが−１される（ステップＳ９８）。
【００９５】
そして、Start＞Endであるか否かが判別される（ステップＳ９９）。Start＞Endでない場合（ステップＳ９９；ＮＯ）、ステップＳ９５に移行される。Start＞Endである場合（ステップＳ９９；ＹＥＳ）、プリントされた記録用紙が、折り部６０により左右の中心線で折り畳まれ、ステイプル部５０により綴じ針で左又は右綴じに綴じられ、断裁部７０により上下の中心線で断裁され、完成した小冊子が排紙トレイＴ４に排出され（ステップＳ１００）、第５の小冊子プリント処理が終了される。図１８に、ステップＳ９５〜Ｓ９９における元画像数が８の場合の、縦の元画像の左綴じの１頁１元画像の断裁を用いる小冊子用プリント例を示す。
【００９６】
右綴じである場合（ステップＳ９４；ＮＯ）、ステップＳ９５〜Ｓ９９と同様にして、ステップＳ１０１〜Ｓ１０５が実行される。但し、ステップＳ１０１において、４ｉｎ１の左半分に、Startに対応する同一の元画像が上下に位置し、４ｉｎ１の右半分に、Endに対応する同一の元画像が上下に位置する画像データが作成されてプリントされる。またステップＳ２３において、４ｉｎ１の左半分に、Endに対応する同一の元画像が上下に位置し、４ｉｎ１の右半分に、Startに対応する元画像が上下に位置する画像データが作成されてプリントされる。図１９に、ステップＳ１０１〜Ｓ１０５における元画像数が８の場合の、縦の元画像の右綴じの１頁１元画像の断裁を用いる小冊子用プリント例を示す。
【００９７】
以上、本実施の形態によれば、複写機１Ａが、操作部９２において入力された小冊子のプリントの種類（メニュー）に基づいて、複数の元画像を含む元画像データを用いて、小冊子完成後の１頁ごとに複数の元画像が含まれる小冊子用の画像データを作成して、プリント部２０で記録用紙にプリントするので、小冊子のプリントの種類を選択できるとともに、画像記録された記録用紙を用いて、各頁に複数の元画像が記録された小冊子を作成でき、小冊子作成用の記録用紙を有効活用できる。
【００９８】
例えば、第１の小冊子プリント処理において、小冊子完成後の１頁ごとに２枚の横の元画像が含まれる右綴じ又は左綴じの小冊子を作成できる。また、第２の小冊子プリント処理において、小冊子完成後の１頁ごとに２枚の縦の元画像が含まれる上綴じで頁が左開始又は右開始の小冊子を作成できる。
【００９９】
また、第３の小冊子プリント処理において、小冊子完成後の１頁ごとに４枚の横の元画像が含まれる上綴じで頁が左開始又は右開始の小冊子を作成できる。また、第４の小冊子プリント処理において、小冊子完成後の１頁ごとに４枚の縦の元画像が含まれる右綴じ又は左綴じの小冊子を作成できる。小冊子完成後の１頁ごとに４枚の元画像が含まれるので、さらに記録用紙を有効活用できる。
【０１００】
さらに、少なくとも１つの元画像を含む元画像データを用いて、１頁ごとに複数の同一元画像が含まれる小冊子用の画像データを作成してプリント部２０で記録用紙にプリントさせ、当該プリントされた記録用紙を断裁部７０で自動的に断裁するので、画像記録及び断裁された記録用紙を用いて、複数部数の小冊子を作成でき、小冊子作成用の記録用紙を有効活用できるとともに、ユーザの小冊子作成作業負担を軽減できる。
【０１０１】
例えば、第５の小冊子プリント処理において、１頁ごとに２枚の縦の同一元画像が含まれる左綴じ又は右綴じの小冊子用の画像データを記録用紙に記録し、当該画像記録された記録媒体を上下の中心線で断裁するので、画像記録及び断裁された記録用紙を用いて、各頁に１枚の元画像が含まれる２部の左綴じ又は右綴じの小冊子を作成できる。
【０１０２】
また、折り部６０により、プリントされた記録用紙を自動的に折り、ステイプル部５０により、プリントされた記録用紙を自動的に綴じ針で綴じるので、ユーザが、完成後の小冊子を取得でき、ユーザの小冊子作成作業負担をさらに軽減できる。
【０１０３】
なお、上記実施の形態では、１頁片面の画像プリントの度に、元画像データからプリントする画像データを作成する構成であったが、これに限定されるものではない。例えば、プリントの種類が選択された後、全ての画像データを一括して作成する構成としてもよい。
【０１０４】
また、上記実施の形態では、プリントされた記録用紙に対して、折り部６０による折り処理、ステイプル部５０によるステイプル処理、（断裁部７０による断裁処理）を行う構成としたが、これに限定されるものではない。例えば、プリントされた記録用紙に対して、折り処理、ステイプル処理、断裁処理及びパンチ部４０によるパンチ処理等の後処理ののうちの少なくとも１つを選択して自動的に実行させる構成としてもよい。
【０１０５】
また、上記実施の形態における記述は、本発明に係る画像形成装置の一例を示すものであるが、これに限定されるものではなく、本発明の主旨を逸脱しない範囲で適宜変更可能である。
【図面の簡単な説明】
【０１０６】
【図１】本発明に係る実施の形態の画像形成システム１αの構成を示すブロック図である。
【図２】複写機１Ａの構成を示す図である。
【図３】小冊子プリント処理を示すフローチャートである。
【図４】選択画面９１１を示す図である。
【図５】小冊子プリント処理中の第１の小冊子プリント処理を示すフローチャートである。
【図６】１頁２元画像の左綴じの小冊子用プリント手順例を示す図である。
【図７】１頁２元画像の右綴じの小冊子用プリント手順例を示す図である。
【図８】小冊子プリント処理中の第２の小冊子プリント処理を示すフローチャートである。
【図９】１頁２元画像の上綴じ左開始の小冊子用プリント手順例を示す図である。
【図１０】１頁２元画像の上綴じ右開始の小冊子用プリント手順例を示す図である。
【図１１】小冊子プリント処理中の第３の小冊子プリント処理を示すフローチャートである。
【図１２】１頁４元画像の上綴じ左開始の小冊子用プリント手順例を示す図である。
【図１３】１頁４元画像の上綴じ右開始の小冊子用プリント手順例を示す図である。
【図１４】小冊子プリント処理中の第４の小冊子プリント処理を示すフローチャートである。
【図１５】１頁４元画像の左綴じの小冊子用プリント手順例を示す図である。
【図１６】１頁４元画像の右綴じの小冊子用プリント手順例を示す図である。
【図１７】小冊子プリント処理中の第５の小冊子プリント処理を示すフローチャートである。
【図１８】左綴じ断裁の小冊子用プリント手順例を示す図である。
【図１９】右綴じ断裁の小冊子用プリント手順例を示す図である。
【符号の説明】
【０１０７】
１α  画像形成システム
１Ａ  複写機
１  本体部
１ａ  本体制御部
１０   画像読取部
１１  ＡＤＦ
１１ａ プラテンガラス
１２  スキャナ
１２ａ  ＣＣＤイメージセンサ
１２ｃ  光源
２００  画像読取制御部
９０  操作表示部
９１  ＬＣＤ
９２  操作部
１００  画像制御部
１１０  制御部
１２０  不揮発メモリ
１３０  ＲＡＭ
１４０  読込処理部
１５０  圧縮ＩＣ
１６０  ＤＲＡＭ制御ＩＣ
１７０  画像メモリ
１７１  圧縮メモリ
１７２  ページメモリ
１８０  伸長ＩＣ
１９０  書込処理部
１ｂ  プリンタコントローラ
１１ｂ  コントローラ制御部
１２ｂ  ＤＲＡＭ制御ＩＣ
１３ｂ  画像メモリ
Ｔ１   原稿トレイ
Ｔ２   手差しトレイ
Ｏ  原稿
Ｐ  記録用紙
２０  プリント部
２１  画像形成部
２１ａ  感光体ドラム
２１ｂ  クリーナ
２１ｃ  帯電部
２１ｄ  露光部
２１ｅ  現像部
２１ｆ  転写部
２２  給紙部
２２ａ，２２ｂ  給紙トレイ
２３ａ  分離器
２４  定着器
３０   反転部
３１，３２，３３，３４  搬送経路
３４ａ  反転経路
３００  プリント制御部
２  後処理部
４０  パンチ部
５０  ステイプル部
５１  スタック台
５２  ステイプラ
６０  折り部
６１  スタック台
６２  可動ストッパ部材
７０  断裁部
７１  切断刃
３５，３５ａ，３５ｂ，３６ａ，３６ｂ，３７ａ，３７ｂ，３８ａ，３８ｂ  搬送経路
４００  後処理制御部
３  ＰＣ
Ｎ  通信ネットワーク
【図１】
2006025231.tif 000003
【図２】
2006025231.tif 000004
【図３】
2006025231.tif 000005
【図４】
2006025231.tif 000006
【図５】
2006025231.tif 000007
【図６】
2006025231.tif 000008
【図７】
2006025231.tif 000009
【図８】
2006025231.tif 000010
【図９】
2006025231.tif 000011
【図１０】
2006025231.tif 000012
【図１１】
2006025231.tif 000013
【図１２】
2006025231.tif 000014
【図１３】
2006025231.tif 000015
【図１４】
2006025231.tif 000016
【図１５】
2006025231.tif 000017
【図１６】
2006025231.tif 000018
【図１７】
2006025231.tif 000019
【図１８】
2006025231.tif 000020
【図１９】
2006025231.tif 000021